(57)【要約】      （修正有）【課題】画像処理装置に２つの操作部を設けることで、操作部の大型化の抑制を図りながら、操作キーを増加させることができる画像処理装置を提供する。【解決手段】画像処理装置の状態と処理内容とを表示する表示部と、前記表示部に文字入力が可能なタッチパネルを有する第一操作部以外に、外部に露出が可能であり、前記表示部に入力が可能なキーボードを有する第二操作部を設け、第二操作部を露出させると、第二操作部からの入力可能なモードに、第一操作部の表示部の表示が自動的に切り替わるので、ユーザの入力操作性を向上できる。【選択図】図２
2011186879.tif 000002
【特許請求の範囲】
【請求項１】
第一操作部と第二操作部を有し、前記第一操作部は、画像処理装置の状態と処理内容とを表示する表示部と、前記表示部に文字入力が可能なタッチパネルを有し、前記第二操作部は、前記第一操作部の下部に収納され、操作のため外部に露出可能なキーボードを有する画像処理装置において、前記第二操作部を露出させることにより、第二操作部からの入力可能なモードに、第一操作部の表示部の表示が切り替わることを特徴とする画像処理装置。
【請求項２】
前記第二操作部を手前側に引き出す方向にスライドさせることにより、前記第二操作部が外部に露出することを特徴とする請求項１に記載の画像処理装置。
【請求項３】
入力操作が中途段階で、前記第二操作部が内部に収納されると、入力を確定あるいは破棄することを特徴とする請求項２に記載の画像処理装置。
【請求項４】
前記第一操作部をチルトアップさせることにより、前記第二操作部が露出することを特徴とする請求項１に記載の画像処理装置。
【請求項５】
入力操作が中途段階で、前記第一操作部が収納されると、入力を確定或いは破棄することを特徴とする請求項４記載の画像処理装置。
【請求項６】
前記第二操作部が内部に収納されたことを検出すると、入力可能なモードの表示部の画面は電源を立ち上げた状態の基本画面に遷移することを特徴とする請求項１〜５のいずれか１項に記載の画像処理装置。
【請求項７】
前記第二操作部が外部に露出或いは内部に収納されたことを検出するセンサを配設したことを特徴とする請求項１〜６のいずれか１項に記載の画像処理装置。
【発明の詳細な説明】
【技術分野】
【０００１】
本発明は、操作部にキーボードを備える画像形成装置及び画像読取装置等の画像処理装置に関する。
【背景技術】
【０００２】
画像形成装置及び画像読取装置等の画像処理装置では、装置を制御するための複数の操作キーを含む操作部が、操作性向上のために装置本体の上面に配置されることが多い。
【０００３】
また、近年、画像処理装置の機能の多様化に伴う操作キー数の増加、及び操作性向上のための操作キーの大型化の要求が高く、操作部を大型化する必要が生じている。
【０００４】
ところが、操作部を画像処理装置の上面に搭載する場合、入力操作に支障をきたすほどの多くの数の操作キーを操作部に設置せざるを得なかった。
【０００５】
特開２００６−１４６３３０（特許文献１）には、画像処理装置から離れて文字入力が可能な外付けキーボードを接続して入力操作を支援する装置が開示されている。
【先行技術文献】
【特許文献】
【０００６】
【特許文献１】特開２００６−１４６３３０公報
【発明の概要】
【発明が解決しようとする課題】
【０００７】
しかしながら、特許文献１は、外付けキーボードを画像処理装置に接続したときに、操作表示部上の操作キーの表示を外付けキーボード上の操作キーに切り替えているだけである。つまり、キーボードを使用する場面が多い入力可能なモードに自動的に切り替わる訳ではないので、ユーザが使用したい入力可能なモードに手動で切り替える必要があり、操作が煩わしくなるという課題が残る。
【０００８】
そこで本発明の目的は、上記課題に鑑み、ユーザの入力操作性が向上する画像処理装置を提供することにある。
【課題を解決するための手段】
【０００９】
本発明の画像処理装置は、前記第一操作部と前記第二操作部とを備えた画像処理装置において、第二操作部を手前側へ引き出して露出させることにより、第二操作部からの入力可能なモードに、第一操作部の表示が自動的に切り替わることを特徴とするものである。
【００１０】
また、本発明の画像処理装置は、第二操作部を手前側へ引き出す方向にスライドさせることで、第二操作部が外部に露出することを特徴とするものである。
【００１１】
また、本発明の画像処理装置は、第二操作部を内部に収納する際、入力操作が中途段階の場合、入力を確定或いは破棄することを特徴とするものである。
【００１２】
また、本発明の画像処理装置は、第一操作部の表示部をチルトアップさせることにより、第一操作部の表示部の下部に位置する第二操作部が露出することを特徴とするものである。
【００１３】
また、本発明の画像処理装置は、チルトアップされた第一操作部を収納する際、入力操作が中途段階の場合、入力を確定或いは破棄することを特徴とするものである。
【００１４】
また、本発明の画像処理装置は、第二操作部が内部に収納されたことを検出すると、入力可能なモードの表示部の画面は電源を立ち上げた状態の基本画面に遷移することを特徴とするものである。
【００１５】
また、本発明の画像処理装置は、第二操作部が外部に露出或いは内部に収納されたことを検出するセンサを配設したことを特徴とするものである。
【発明の効果】
【００１６】
本発明の画像処理装置は、第一操作部以外に第二操作部を設け、第二操作部を露出させると、第二操作部からの入力可能なモードに第一操作部の表示が自動的に切り替わるため、ユーザの入力操作性を向上できる。
【００１７】
更に、第二操作部を手前側へ引き出す方向にスライドさせることで、第二操作部が外部に露出するため、第一操作部を稼働させられない場合でも、第二操作部を露出させて入力することができる。
【００１８】
更に、第二操作部を内部に収納する際、入力操作が中途段階の場合、入力を確定或いは破棄することができるため、ユーザが第一操作部の表示を使用したい設定にすることができる。
【００１９】
更に、第一操作部の表示部をチルトアップさせることで、第一操作部の表示部の下部に位置する第二操作部が露出するため、画像処理装置手前側での操作に充分な場所を確保する必要がなくなる。
【００２０】
更に、チルトアップされた第一操作部の表示部を収納する際、入力操作が中途段階の場合、入力を確定或いは破棄することができるため、ユーザが第一操作部の表示を使用したい設定にすることができる。
【００２１】
更に、第二操作部が内部に収納されたことを検出すると、入力可能なモードの表示部の画面は電源を立ち上げた状態の基本画面に遷移するので、次に使用するユーザが、使用したい入力可能なモードの画面に手動で切り替える必要がなくなる。
【００２２】
また更に、第二操作部が外部に露出或いは内部に収納されたことを検出するセンサを配設しているので、第一操作部の表示部には、第二操作部からの入力操作が可能なモードに自動的に切り替えられる。
【図面の簡単な説明】
【００２３】
【図１】本発明の画像処理装置の構成を示す図である。
【図２】本発明の第１実施形態の画像処理装置の操作部を示す図である。（ａ）第一操作部を上面から見た図である。（ｂ）第二操作部が露出している図である。
【図３】本発明の第２実施形態の画像処理装置の操作部を示す図である。（ａ）第一操作部を上面から見た図である。（ｂ）第一操作部の表示部をチルトアップしている段階の図である。（ｃ）第一操作部の表示部の下部に位置する第二操作部が露出している図である。
【図４】本発明の画像処理装置の主要な構成を示すブロック図である。
【図５】本発明の画像処理装置の制御内容を示すフローチャートである。
【図６】本発明の画像処理装置及び操作部を示す図である。（ａ）本発明の画像処理装置及び操作部の斜視図である。（ｂ）第一操作部を上面から見た図である。
【図７】本発明の画像処理装置の電子メールアドレスを入力するための第一操作部における表示部の遷移画面及び第二操作部を示す図である。（ａ）画像処理装置で原稿を読み取り、読み取った原稿を送信するための第一操作部における表示部の遷移画面である。（ｂ）電子メールアドレスを入力するときの第二操作部を示す図である。
【図８】本発明の画像処理装置のファイル名を入力するための第一操作部の表示部の遷移画面及び第二操作部を示す図である。（ａ）画像処理装置で原稿を読み取り、読み取ったスキャンデータをＵＳＢ（登録商標）メモリーに送信するための第一操作部における表示部の遷移画面である。（ｂ）ファイル名を入力するときの第二操作部を示す図である。
【発明を実施するための形態】
【００２４】
図１は、本発明の画像処理装置１００の構成を示す図である。画像処理装置１００は、外部から伝達された画像データに応じて、記録用紙に対して多色及び単色の画像を形成するもので、装置本体１１０と、自動原稿処理装置１２０とにより構成されている。
【００２５】
装置本体１１０は、露光ユニット１、現像器２、感光体ドラム３、クリーナユニット４、帯電器５、中間転写ベルトユニット６、定着ユニット７、給紙カセット８１、排紙トレイ９１等を有して構成されている。
【００２６】
装置本体１１０の上部は、画像読取装置に該当するものであり、原稿が載置される透明ガラスからなる原稿載置台９２が設けられ、原稿載置台９２の上側には自動原稿処理装置１２０が取り付けられている。
【００２７】
自動原稿処理装置１２０は、原稿載置台９２の上に自動で原稿を搬送する。また原稿処理装置１２０は矢印Ｍ方向に回動自在に構成され、原稿載置台９２の上を開放することにより原稿を手置きで置くことができるようになっている。
【００２８】
画像処理装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の静電潜像を形成するようにそれぞれ４個ずつ設けられ、それぞれブラック、シアン、マゼンタ、イエローに設定され、これらによって４つの画像ステーションが構成されている。
【００２９】
帯電器５は、感光体ドラム３の表面を均一に帯電させるための帯電手段である。
【００３０】
露光ユニット１は、レーザ射出部および反射ミラー等を備えたレーザスキャニングユニット（ＬＳＵ）として構成される。露光ユニット１は、帯電された感光体ドラム３を入力された画像データに応じて露光することにより、その表面に、画像データに応じた静電潜像を形成する機能を有する。現像器２は、各々の感光体ドラム３上に形成された静電潜像を４色（ＹＭＣＫ）のトナーにより顕像化するものである。また、クリーナユニット４は、現像・画像転写後における感光体ドラム３上の表面に残留したトナーを除去・回収する。
【００３１】
感光体ドラム３の上方に配置されている中間転写ベルトユニット６は、中間転写ベルト６１、中間転写ベルト駆動ローラ６２、中間転写ベルト従動ローラ６３、中間転写ローラ６４および中間転写ベルトクリーニングユニット６５を備えている。中間転写ローラ６４は、ＹＭＣＫ用の各色に対応して４本設けられている。
【００３２】
中間転写ベルト駆動ローラ６２、中間転写ベルト従動ローラ６３、及び中間転写ローラ６４は、中間転写ベルト６１を張架して回転駆動させる。また、各中間転写ローラ６４は、感光体ドラム３のトナー像を、中間転写ベルト６１上に転写するための転写バイアスを与える。
【００３３】
中間転写ベルト６１は、各感光体ドラム３に接触するように設けられている。そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３４】
感光体ドラム３から中間転写ベルト６１へのトナー像の転写は、中間転写ベルト６１の裏側に接触している中間転写ローラ６４によって行われる。中間転写ローラ６４には、トナー像を転写するために、トナー帯電極性（−）とは逆極性（＋）の高電圧の転写バイアスが印加されている。中間転写ローラ６４は、直径８ｍｍ〜１０ｍｍの金属軸、例えば、ステンレス軸をベースとし、表面が導電性、例えば、導電性ＥＰＤＭ（エチレンプロピレンジエン共重合ゴム）、導電性発泡ウレタン等の弾性材により覆われているローラである。この導電性の弾性材により、中間転写ベルト６１に対して均一に高電圧を印加することができる。本実施形態では転写電極としてローラ形状を使用しているが、それ以外にブラシ等も用いることが可能である。
【００３５】
各感光体ドラム３上で各色相に応じて顕像化された静電潜像は中間転写ベルト６１で積層される。積層された画像情報は中間転写ベルト６１の回転によって、記録用紙と中間転写ベルト６１との接触位置に配置される転写ローラ１０によって記録用紙上に転写される。
【００３６】
このとき、中間転写ベルト６１と転写ローラ１０は所定のニップで圧接されるとともに、転写ローラ１０にはトナーを記録用紙に転写させるためのトナー帯電極性（−）とは逆極性（＋）の高電圧が印加される。転写ローラ１０は前記ニップを定常的に得るために、転写ローラ１０もしくは中間転写ベルト駆動ローラ６２のいずれか一方をステンレス等の金属の硬質材料とし、他方を弾性ゴムローラまたは発泡性樹脂ローラ等の弾性ローラの軟質材料としている。
【００３７】
また、感光体ドラム３に接触することにより中間転写ベルト６１に付着したトナーもしくは転写ローラ１０によって記録用紙上に転写が行われず中間転写ベルト６１上に残存したトナーは、次工程でトナーの混色を発生させる原因となるため、中間転写ベルトクリーニングユニット６５によって除去・回収されるように設定されている。中間転写ベルトクリーニングユニット６５には、中間転写ベルト６１に接触するクリーニング部材として、クリーニングブレードが備えられており、クリーニングブレードが接触する中間転写ベルト６１は、裏側から中間転写ベルト従動ローラ６３で支持されている。
【００３８】
給紙カセット８１は、画像形成に使用する記録用紙を蓄積しておくためのトレイであり、装置本体１１０の露光ユニット１の下側に設けられている。
【００３９】
装置本体１１０には、給紙カセット８１及び手差し給紙カセット８２の記録用紙を転写ローラ１０や定着ユニット７を経由させて排紙トレイ９１に送るための、略垂直形状の用紙搬送路Ｓが設けられている。給紙カセット８１もしくは手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０及び定着ユニット７が配置されている。
【００４０】
図２は、本発明の第１実施形態の画像処理装置１００の第一操作部２００及び第二操作部３００を示す図である。図２（ａ）は、第一操作部２００を上面から見た図で、図２（ｂ）は、第二操作部３００を手前側にスライドさせることにより、第二操作部３００が露出している図である。
【００４１】
第二操作部３００は、第二操作部３００の左右両端に配置された図示しないスライドレールに固定され、スライドレールの伸縮により、露出位置と収納位置との間で第二操作部が変位可能となる。
【００４２】
図２（ｂ）に示すように、ユーザが第一操作部２００の下部に位置する第二操作部３００を手前側に引き出す。検出装置（図４に示すセンサ４００）により第二操作部３００が引き出されたことを検出して、ユーザが使用したい入力可能なモードに第一操作部２００の表示部２００Ａの表示が、図示しないが自動的に切り替わっている。
【００４３】
図３は、本発明の第２実施形態の画像処理装置１００の第一操作部２１０及び第二操作部３１０を示す図である。図３（ａ）は、第一操作部２１０を上面から見た図で、図３（ｂ）は、第一操作部２１０の表示部２００Ａをチルトアップしている段階の図で、図３（ｃ）は、第一操作部２１０の表示部２００Ａのチルトアップが完了して、第一操作部２１０の表示部２００Ａの下部に位置する第二操作部３１０が露出している図である。
【００４４】
図３（ｂ）に示すように、ユーザが第一操作部２１０の表示部２００Ａを、表示部の左右両端に配置されたスライドレール２０１に沿って支点２０２を矢印方向にスライドさせることにより、第一操作部２１０の表示部２００Ａが立ち上がる。
【００４５】
図３（ｃ）に示すように、第一操作部２００の表示部が立ち上がった場合、検出装置により第一操作部２００の表示部が立ち上がったことを検出して、ユーザが使用したい入力可能なモードに第一操作部２００の表示が、図示しないが自動的に切り替わっている。
【００４６】
図４は、本発明の実施形態の画像処理装置１００の主要な構成を示すブロック図である。以下、本発明の第１実施形態に基づいて説明するが、第２実施形態についても同様である。
【００４７】
ＣＰＵは、第一操作部２００、第二操作部３００、センサ４００及びＬＣＤコントローラに接続され、各部を総括的に制御する。センサ４００は、ＯＮ／ＯＦＦを検出するセンサであれば良く、メカニカルなスイッチでも良いし、フォトセンサであっても良い。
【００４８】
センサ４００によって、例えば第二操作部３００であるキーボードがスライドされて引き出されたことを検知すると、ＣＰＵによって、第一操作部２００の表示部には、第二操作部３００であるキーボードからの入力操作が可能なモードに切り替えられる。センサ４００がＯＮを検出したことによる。
【００４９】
ユーザは、第二操作部３００であるキーボードを使って文字入力をすることが可能となる。第二操作部３００であるキーボードで入力された文字は、ＬＣＤコントローラを介して第一操作部２００の表示部にも表示される。ＬＣＤコントローラは第一操作部２００の表示部２００Ａの表示を制御するコントローラである。第二操作部３００であるキーボードが収納されると、電源を立ち上げた状態の基本画面に遷移する。センサ４００がＯＦＦを検出したことによる。
図５は、本発明の画像処理装置１００の制御内容を示すフローチャートである。まず、第一操作部２００の表示部２００Ａにおいて、入力可能なモードの画面として電源を立ち上げた状態の基本画面を表示する（Ｆ０）。通常、基本画面は、コピーモードである。次に、第二操作部３００の露出状態を確認する（Ｆ１）。露出していなければ、第二操作部３００が露出するまで待機する。露出していれば、第一操作部２００の表示部２００Ａにおいて、表示モードを選択する。第二操作部３００が露出し、かつ表示モードがコピーモードなら（Ｆ２）、第一操作部２００の表示部２００Ａをユーザが事前に設定したコピーモード用の設定、例えば、ウォータマーク入力モードに自動的に切り替える（Ｆ３）。
【００５０】
また、第二操作部３００が露出し、かつ表示モードがコピーモードではなく、スキャナモードなら（Ｆ１０）、第一操作部２００の表示部２００Ａをユーザが事前に設定したスキャナモード用の設定、例えば、電子メール入力モードに自動的に切り替える（Ｆ１１）。
【００５１】
更に、第二操作部３００が露出し、かつ表示モードがコピーモードでもスキャナモードでもなく、ＦＡＸモードなら（Ｆ１２）、第一操作部２００の表示部２００Ａをユーザが事前に設定したＦＡＸモード用の設定、例えば、アドレス帳登録モードに自動的に切り替える（Ｆ１３）。
【００５２】
また更に、第二操作部３００が露出し、かつ表示モードがコピーモードでもスキャナモードでもＦＡＸモードでもなく、その他のモードなら（Ｆ１４）、第一操作部２００の表示部２００Ａをユーザが事前に設定したその他のモード用の設定、例えば、法人名・個人名の登録ができるように切り替える（Ｆ１５）。第二操作部３００が露出し、かつ表示モードがコピーモードでもスキャナモードでもＦＡＸモードでもその他のモードでもなければ（Ｆ１４）、表示モードの選択に戻る。
【００５３】
第一操作部２００の表示部２００Ａをユーザが事前に設定した設定に切り替えたのち（Ｆ３、Ｆ１１、Ｆ１３、Ｆ１５）、第二操作部３００からの入力を受け付ける（Ｆ４）。
【００５４】
次に、第二操作部３００の収納状態を確認する（Ｆ５）。収納していなければ、収納されるまで待機する。収納していれば、入力操作の状態を確認する（Ｆ６）。もし、入力操作が中途段階の場合、入力操作を確定或いは破棄を選択する設定を確認する（Ｆ７）。入力操作を確定させる設定なら、入力操作を確定する処理を行う(Ｆ８）。入力操作を破棄させる設定なら、入力操作を破棄する処理を行う(Ｆ９）。
【００５５】
図６は、本発明の第１実施形態の画像処理装置１００及び第一操作部２００、第二操作部３００を示す図である。図６（ａ）は、本発明の実施形態の画像処理装置１００及び第一操作部２００、第二操作部３００の斜視図で、図６（ｂ）は、第一操作部２００を上面から見た図である。
【００５６】
図６（ａ）に示すように、第一操作部２００の下部に第二操作部３００のキーボードが配置されている。第二操作部３００のキーボードは、外部に露出する露出位置と内部に収納する収納位置との間で変位可能である。第一操作部２００の表示部には、第一操作部２００または第二操作部３００のキーボードからの入力操作に対応する情報が表示される。第一操作部２００及び第二操作部３００のキーボードは、画像処理装置１００を制御するための入力操作を受け付ける。
【００５７】
図６（ｂ）に示すように、第一操作部２００は、表示部２００Ａ以外にスタートキー、クリアキー等の複数の操作キーを備えている。第一操作部２００は、装置本体１１０の上面に固定的に配置されている。第一操作部２００の表示部２００Ａは、電源を立ち上げた状態の基本画面を示している。
【００５８】
図７は、本発明の第１実施形態の画像処理装置１００の電子メールアドレスを入力するための第一操作部２００における表示部２００Ａの遷移画面及び第二操作部３００を示す図である。
【００５９】
図７（ａ）は、画像処理装置１００で原稿を読み取り、読み取った原稿を送信するための第一操作部２００の表示部２００Ａの遷移画面である。第二操作部３００のキーボードを引き出すと、この画面に遷移する。次に、図７（ｂ）に示す第二操作部３００のキーボードより、読み取った原稿の送信先である電子メールアドレスを入力する。
【００６０】
ユーザは、操作キー３００Ａを使って電子メールアドレスを入力することができる。操作キー３００Ａは、第一操作部２００の表示部２００Ａと異なり、第二操作部３００のキーボード全体に配置されるため、操作キーの一つ一つが大きい。電子メールアドレスは、一般的に複雑な文字配列となっているため、第二操作部３００を使って文字入力をするほうが効率良い。入力した電子メールアドレスは、バー３００Ｂに表示される。
【００６１】
図７（ｂ）において、電子メールアドレスの入力が終わってＥｎｔｅｒキーが押下されると、第二操作部３００を露出位置から収納位置へと変位させれば良く、第二操作部３００がユーザの邪魔になることがない。
【００６２】
図８は、本発明の第１実施形態の画像処理装置１００のファイル名を入力するための第一操作部２００における表示部２００Ａの遷移画面及び第二操作部３００を示す図である。
【００６３】
図８（ａ）は、画像処理装置１００で原稿を読み取り、読み取ったスキャンデータを図示しないＵＳＢメモリーに送信するための第一操作部２００における表示部２００Ａの遷移画面である。第二操作部３００のキーボードを引き出すと、この画面に遷移する。次に、図８（ｂ）に示す第二操作部３００のキーボードより、読み取ったスキャンデータのためにファイル名を入力する。
【００６４】
ユーザは、操作キー３００Ａを使ってファイル名を入力することができる。操作キー３００Ａは、第一操作部２００の表示部と異なり、第二操作部３００のキーボード全体に配置されるため、操作キーの一つ一つが大きい。ファイル名は、一般的に複雑な文字配列となっているため、第二操作部３００を使って文字入力をするほうが効率良い。入力したファイル名は、バー３００Ｂに表示される。
【００６５】
図８（ｂ）において、ファイル名の入力が終わってＥｎｔｅｒキーが押下されると、第二操作部３００を露出位置から収納位置へと変位させれば良く、第二操作部３００がユーザの邪魔になることがない。
【産業上の利用可能性】
【００６６】
本発明に係る画像形成装置は、コピー・スキャナ・プリンタ・ファクシミリ等の装置全般に広く適用することができる。
【符号の説明】
【００６７】
１        露光ユニット
２        現像器
３        感光体ドラム
４        クリーナユニット
５        帯電器
６        中間転写ベルトユニット
７        定着ユニット
１０      転写ローラ
６１      中間転写ベルト
６２      中間転写ベルト駆動ローラ
６３      中間転写ベルト従動ローラ
６４      中間転写ローラ
６５      中間転写ベルトクリーニングユニット
８１      給紙カセット
８２      手差し給紙カセット
９１      排紙トレイ
９２      原稿載置台
１００    画像処理装置
１１０    装置本体
１２０    自動原稿処理装置
２００    第一操作部
２００Ａ  表示部
２１０    第一操作部
２０１    スライドレール
２０２    支点
３００    第二操作部
３１０    第二操作部
３００Ａ  操作キー
３００Ｂ  バー
４００    センサ
【図１】
2011186879.tif 000003
【図２】
2011186879.tif 000004
【図３】
2011186879.tif 000005
【図４】
2011186879.tif 000006
【図５】
2011186879.tif 000007
【図６】
2011186879.tif 000008
【図７】
2011186879.tif 000009
【図８】
2011186879.tif 000010